【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
廃水を蒸発させるとともに酸性気体エミッションを低減する方法であって、
廃水を煙道ガスと接触させる前に、活性炭及び活性コークスのうちの少なくとも一方を廃水に添加し、
廃水を煙道ガスと接触させる前に、アルカリ性試薬を廃水に添加し、
煙道ガスを廃水と接触させて煙道ガスを冷却及び加湿するとともに廃水中の固体粒子を乾燥させ、
冷却及び加湿された煙道ガスから固体粒子を分離する
ことを含む方法。
【請求項２】
廃水を煙道ガスと接触させる前に、分離された固体粒子の一部を廃水に供給する、請求項１記載の方法。
【請求項３】
当該方法が、煙道ガスが予熱器を通過した後、煙道ガスが粒子収集器に供給される前に、煙道ガスを冷却及び加湿しかつ煙道ガス中の酸性気体成分を捕捉するために、アルカリ性試薬と分離された固体粒子の一部と廃水とを混合して、煙道ガスに供給するための混合物を形成することを含んでおり、煙道ガスに供給される混合物と煙道ガスとが接触する際に煙道ガスが廃水と接触する、請求項１記載の方法。
【請求項４】
混合物が、湿性粉末として形成される、請求項３記載の方法。
【請求項５】
燃焼ユニットから排出された煙道ガスの第１の部分を、煙道ガスの第１の部分が予熱器をバイパスするように、蒸発装置に搬送し、
燃焼ユニットから排出された煙道ガスの第２の部分を予熱器へ送って流体を加熱した後、その流体を燃焼ユニットに供給し、
煙道ガスの第２の部分が予熱器を通過した後で、煙道ガスの冷却及び加湿された第１の部分を煙道ガスの第２の部分と合流させ、合流した煙道ガスの第１の部分及び第２の部分を粒子収集器へ送り、冷却及び加湿された煙道ガスから固体粒子を分離する
ことを含む、請求項１記載の方法。
【請求項６】
アルカリ性試薬を廃水に加えた後、該廃水を煙道ガスの第１の部分と接触させる、請求項５記載の方法。
【請求項７】
廃水を蒸発させるとともに酸性気体エミッションを低減する装置であって、
ボイラユニットから排出された煙道ガスの少なくとも第１の部分とアルカリ性試薬と固体粒子と廃水とを受け取って、煙道ガスを廃水と直接接触させ、煙道ガスを冷却及び加湿し、固体粒子を乾燥させるように構成された蒸発装置と、
蒸発装置に液体廃水を供給するために蒸発装置に接続された廃水容器であって、少なくとも１つの廃水源から液体廃水を受け取るように構成されているとともに、アルカリ性試薬を受け取って、廃水容器内に保持された廃水にアルカリ性試薬が添加されてから、廃水と、廃水に添加されたアルカリ性試薬とが蒸発装置に供給されるように構成された廃水容器と
を備える装置。
【請求項８】
煙道ガスを排出するためのボイラユニットであって、煙道ガスの少なくとも第１の部分を蒸発装置に搬送できるように蒸発装置に接続されている、ボイラユニットと、
蒸発装置から冷却及び加湿された煙道ガスの少なくとも第１の部分と、固体粒子とを受け取るように蒸発装置に接続された粒子収集機であって、煙道ガスから固体粒子を分離するように構成された粒子収集器と
を備える、請求項７記載の装置。
【請求項９】
アルカリ性試薬と、廃水と、粒子収集器によって分離された固体粒子の一部とを混合して、蒸発装置に供給するための混合物を形成するように構成されたミキサ装置を備える、請求項７記載の装置。
【請求項１０】
当該装置が、ボイラユニットに供給される前に流体を加熱するために煙道ガスを受け取るためにボイラユニットに接続された予熱器を備えており、
蒸発装置が、予熱器を通過した後の煙道ガスを粒子収集器へ送るように構成された導管を有していて、煙道ガスが粒子収集器へ送られる前にミキサ装置によって形成された混合物が導管に供給される、請求項９記載の装置。
【請求項１１】
混合物が、湿性粉末として形成される、請求項１０記載の装置。
【請求項１２】
蒸発装置が、煙道ガス及び混合物を受け取るための容器を有していて、煙道ガス及び固体粒子が粒子収集器に供給される前に煙道ガスを冷却及び加湿するとともに混合物中の固体粒子を乾燥させるために、混合物及び煙道ガスを所定の時間にわたって保持する、請求項９記載の装置。
【請求項１３】
当該装置が、分離された煙道ガスを粒子収集器から受け取るために粒子収集器に接続され、煙道ガスから硫黄酸化物を除去するように構成された煙道ガス脱硫システムであって、廃水を煙道ガス脱硫システムから廃水容器に供給するために廃水容器にも接続されている煙道ガス脱硫システムを備える、請求項７記載の装置。
【請求項１４】
当該装置が、ボイラユニットに供給される前に流体を加熱するために煙道ガスの第２の部分を受け取るようにボイラユニットに接続された予熱器を備えており、
煙道ガスの第１の部分が予熱器をバイパスするように、煙道ガスの第１の部分がボイラユニットから蒸発器に搬送され、
煙道ガスの第２の部分が予熱器を通過した後で、煙道ガスの第１の部分が煙道ガスの第２の部分と合流し、合流した煙道ガスの第１の部分及び第２の部分が粒子収集器に供給されるように、蒸発装置が粒子収集器に接続されている、請求項７記載の装置。
【請求項１５】
プラントであって、
燃料を燃焼させて蒸気及び煙道ガスのうちの少なくとも一方を排出するように構成された燃焼ユニットと、
アルカリ性試薬源と、
液体廃水源と、
煙道ガスから固体材料を分離するように構成された粒子収集器と、
液体廃水と、アルカリ性試薬と、粒子収集器によって分離された固体材料の少なくとも一部とを受け取るために、液体廃水源と、アルカリ性試薬源と、粒子収集器とに接続されたミキサ装置であって、液体廃水と、アルカリ性試薬と、固体材料の一部とを混合して混合物を形成するためのミキサ装置と、
混合物をミキサ装置から受け取るとともに煙道ガスの少なくとも第１の部分を燃焼ユニットから受け取るために燃焼ユニット及びミキサ装置に接続された導管又は容器であって、煙道ガス及び固体材料が粒子収集器に供給される前に煙道ガスを冷却及び加湿しかつ混合物中の固体粒子を乾燥させるために混合物を煙道ガスと所定の時間にわたって直接接触させるように構成された、導管又は容器と
を備えるプラント。
【請求項１６】
当該プラントが、予熱器であって、該予熱器を通過する流体を、その流体が燃焼ユニットに供給される前に加熱するために、燃焼ユニットから煙道ガスを受け取るために燃焼ユニットに接続された予熱器を備えており、
導管又は容器が、予熱器の下流に該予熱器と粒子収集器との間に配置されており、煙道ガスが予熱器を通過した後で煙道ガスを冷却及び加湿するとともに混合物中の固体材料を乾燥させるために、全ての煙道ガスが導管又は容器に供給されて混合物と接触する、請求項１５記載のプラント。
【請求項１７】
当該プラントが、予熱器であって、該予熱器を通過する流体を、その流体が燃焼ユニットに供給される前に加熱するために、燃焼ユニットからの煙道ガスの第２の部分を受け取るように燃焼ユニットに接続された予熱器を備えており、
煙道ガスの第１の部分が予熱器をバイパスするように、煙道ガスの第１の部分が導管又は容器に供給されて混合物と接触して、煙道ガスを冷却及び加湿するとともに混合物中の固体材料を乾燥させ、
煙道ガスの第１の部分と第２の部分とが合流してから、粒子収集器に供給されるように予熱器と導管又は容器とが接続されている、請求項１５記載のプラント。